【事件の表示】
　平成　８年特許願第３３１１８７号「アクティブマトリックス方式の表示装置」拒絶査定不服審判事件〔平成１０年　６月２６日出願公開、特開平１０−１７２７６２〕について、次のとおり審決する。
【結　論】
　本件審判の請求は、成り立たない。
【理　由】
１．手続の経緯 
　本願は、平成８年１２月１１日の出願であって、平成１５年１２月４日付けで拒絶査定がなされ、これに対して平成１６年１月７日付けで審判請求がなされるとともに、同年２月４日付けで手続補正がなされたものである。
　
２．本願発明
　本願の請求項１に係る発明は、平成１６年２月４日付けの手続補正書により補正された明細書及び図面の記載からみて、特許請求の範囲の請求項１に記載された事項により特定される次のとおりのものと認める。（以下、「本願発明」という。）
「 第１の面とこの第１の面と反対側の第２の面とを有し、複数の領域に区画された発光素子層と、前記発光素子層の前記第１の面の側にそれぞれ配置された第１の電極と、前記発光素子層の前記第２の面の側に配置され、全ての発光素子層をカバーする平面形状からなる単一の第２の電極と、を備え、前記第１の電極と第２の電極との重畳部においてエレクトロルミネッセンス素子が形成され、更に、前記各エレクトロルミネッセンス素子に対応して配置され、関連するエレクトロルミネッセンス素子を駆動するための画素駆動素子を備えたことを特徴としたアクティブマトリックス方式の表示装置。」
　　
　なお、本願の特許請求の範囲の請求項１は、平成１６年２月４日付けの手続補正書により補正されておらず、平成１５年４月８日付けの手続補正書により補正されたものである。
　
３．引用刊行物に記載された発明
　本願出願前に頒布され、原査定の拒絶の理由に引用された特開平８−２２７２７６号公報（平成８年９月３日出願公開、以下、「引用刊行物」という。）には、「有機エレクトロルミネッセンスディスプレイパネルとその製造方法」の発明に関して、以下の事項が記載されている。
＜記載事項１＞
「【００１２】
【実施例】以下に、本発明による実施例を図面を参照しつつ説明する。図１に示すように、実施例の有機ＥＬディスプレイパネルはマトリクス状に配置されかつ各々が赤Ｒ、緑Ｇ及び青Ｂの発光部からなる発光画素１の複数からなる画像表示配列を有している。
【００１３】図２に示すように、この有機ＥＬディスプレイパネルの基板２上には、互いに直交する位置に電気的に離間して配列された共通走査信号ライン３及び共通データ信号ライン４が設けられ、さらに走査信号ライン及びデータ信号ラインに接続された非線形素子５と、非線形素子に接続された発光部Ｒ、Ｇ及びＢに対応する複数の島状の第１表示電極６とが表面の略同一平面上に形成されている。
【００１４】さらに基板２上には、図２及び図３に示すように、第１表示電極６の各々を囲み基板上に突出する電気絶縁性の隔壁７が形成されている。隔壁７内凹部の第１表示電極６の各々上には、少くとも１層の有機ＥＬ媒体たとえば、有機正孔輸送層、有機発光層及び有機電子輸送層の３層構造の媒体または有機正孔輸送層及び有機発光層２層構造の媒体などの薄膜が形成されている。
【００１５】有機ＥＬ媒体８の薄膜の複数の上に共通に形成された第２表示電極９が形成されている。第２表示電極９の上には保護膜１０または保護基板が設けられることが好ましい。さらに、具体的な実施例のアクティブマトリクス形有機ＥＬディスプレイパネルでは、図４に示すように、ガラスなどの透明な基板２の上にインジウム錫酸化物（以下、ＩＴＯという）の複数の島状の第１表示電極６と、この第１表示電極に接続された非線形素子５、たとえば互いに接続された薄膜トランジスタ（ＴＦＴ）Ｔ1，Ｔ2及びコンデンサＣとがフォトリソグラフィ真空蒸着技術などにより形成され、さらに、同様にデータ信号ラインの共通ドレインライン４と走査信号ラインの共通ゲートライン３が略一基板平面上に直交する位置に配列されている。（略）」（段落【００１２】〜【００１５】）
＜記載事項２＞
「【００２０】次に、有機ＥＬディスプレイパネル製造工程を説明する。まず、ゲートライン、ゲート絶縁膜、チャネル層、コンタクト層、第１表示電極の透明電極（ＩＴＯ陽極）、ソース、ドレインライン、信号線等、所定のＴＦＴアレイをガラス基板上に形成する。図９は、得られたＴＦＴ等所定の機能素子を備えている基板２の上に、レジストあるいは感光性ポリイミド等で、個々の画素を囲む絶縁性の隔壁７をフォトリソグラフィ等で形成した後の状態の斜視図である。例えば隔壁７の凸部の幅は、いずれも０．０２mm程度、隔壁凹部の底面積は、０．３mm×０．１mm程度であり、この寸法であれば６４０×４８０画素の１０インチフルカラーディスプレイが実現できる。また後の工程で複数回成膜する有機ＥＬ媒体を分離する隔壁は、成膜用マスクが隔壁に突き合わされた際にマスクで既に成膜された有機ＥＬ媒体８を傷つけない程度の高さ（０．５μm以上）であればよい。また隔壁が高すぎても壊れやすくなるので１０μｍ以下程度、できれば１〜２μｍ程度が望ましい。更に、その後の工程で成膜する第２表示電極の陰極が隔壁によって断線しない程度に、隔壁の断面が略台形の形状になることが望ましい。なお、マトリクス状隔壁は、ガラスペーストの光吸収性物質を塗布するスクリーン印刷法により、基板上に形成することもできる。隔壁は、目視側から見て長方形底面の壁となるように形成しているが、正方形、円形などその形状は如何なるものでも良い。」（段落【００２０】）
＜記載事項３＞
「【００２１】図１０に示すように、この成膜用マスク３０を千鳥格子状に配列した開口３１を有するものとして、これを図の矢印に示すように隔壁付き基板２上にて順次移動して、Ｒ媒体、Ｇ媒体及びＢ媒体の最低３回のマスク蒸着を行う。図１１（ａ）〜（ｄ）で、この隔壁付き基板を用いて有機ＥＬディスプレイパネルを作製する発光層形成工程及び第２表示電極形成工程を順を追って説明する。図ではＲＧＢ３色のみの１画素のみの説明であるが、実際は２次元に複数個の画素を同時に形成するのはもちろんである。」（段落【００２１】）
＜記載事項４＞
「【００２２】図１１（ａ）の工程では、隔壁７が形成された基板２の凹部の各１つに成膜用マスク３０の各１つの穴部３１を位置合わせした後、隔壁上にマスクを載置して、１番目（例えば赤色）の有機ＥＬ媒体８ａを例えば蒸着などの方法を用いて０．１〜０．２μm程度の厚さに成膜する。尚、成膜用マスク３０の開口３１の各々は、図に示すように隔壁凹部の底面の第１表示電極を全て覆う有機ＥＬ媒体層を形成できるような大きさを有している。
【００２３】図１１（ｂ）の工程では、例えば成膜用マスクを左に隔壁１個分ずらして位置合わせをした後、隔壁上にマスクを載置して２番目（例えば緑色）の有機ＥＬ媒体８ｂを所定膜厚に成膜する。図１１（ｃ）の工程で残った１個の凹部に成膜用マスクを位置合わせをした後、隔壁上にマスクを載置して３番目（例えば青色）の有機ＥＬ媒体８ｃを所定膜厚に成膜する。
【００２４】このように、１つの開口が１つの第１表示電極上からその隣接する第１表示電極上へ配置されるようにマスクを順次移動せしめる発光層形成工程を順次繰り返すことが好ましい。また、隔壁７があるので、成膜用マスクの位置合わせ、移動、載置して蒸着する際に、マスクによる有機ＥＬ媒体層を傷つけることがない。図１１（ｄ）の第２表示電極形成工程では、成膜用マスクを取り除き、Ａｌ、Ａｕ等の低抵抗金属を、成膜された３種類の有機ＥＬ媒体の上に全体が電気的に導通するように蒸着、あるいはスパッタ等の手段を用いて陰極として例えば０．１〜１０μｍ程度被着させる。この金属膜の膜厚は支障のない限り厚く被着させても構わない。」（段落【００２２】〜【００２４】）
　
　そして、図１１（ｄ）には、有機ＥＬディスプレイパネルの第１表示電極と第２表示電極との重畳部において有機ＥＬ媒体が成膜される工程が記載されているが、この成膜する工程を発光層形成工程と呼称している点（記載事項４の段落【００２４】）からみても、第１表示電極と第２表示電極との重畳部においてエレクトロルミネッセンス素子が形成されることは明らかである。
　また、記載事項１の「段落【００１３】図２に示すように、この有機ＥＬディスプレイパネルの基板２上には、互いに直交する位置に電気的に離間して配列された共通走査信号ライン３及び共通データ信号ライン４が設けられ、さらに走査信号ライン及びデータ信号ラインに接続された非線形素子５と、非線形素子に接続された発光部Ｒ、Ｇ及びＢに対応する複数の島状の第１表示電極６とが表面の略同一平面上に形成されている。」との記載、及び上記図１１（ｄ）の記載から、有機ＥＬディスプレイパネルが各エレクトロルミネッセンス素子に対応して配置され、関連するエレクトロルミネッセンス素子を駆動するための非線形素子５を備えていることも明らかである。
　
　したがって、上記記載事項１〜４及び図１〜４、９〜１１に基づけば、引用刊行物には、
「３層構造の有機ＥＬ媒体８と、有機ＥＬ媒体８の下にそれぞれ配置された第１表示電極６と、前記有機ＥＬ媒体８の上に配置され、ＲＧＢ３色の１画素に対して共通の第２表示電極９と、を備え、前記第１表示電極６と第２表示電極９との重畳部においてエレクトロルミネッセンス素子が形成され、更に、前記各エレクトロルミネッセンス素子に対応して配置され、関連するエレクトロルミネッセンス素子を駆動するための非線形素子５を備えたことを特徴としたアクティブマトリックス方式の有機ＥＬディスプレイパネル。」の発明（「以下、「引用発明」という。）が記載されている。
　
４．対比
　本願発明と引用発明とを比較する。
　引用発明の「３層構造の有機ＥＬ媒体８」、「有機ＥＬ媒体８の下」、「第１表示電極６」、「有機ＥＬ媒体８の上」、「非線形素子５」、及び「有機ＥＬディスプレイパネル」は、本願発明の「第１の面とこの第１の面と反対側の第２の面とを有し、複数の領域に区画された発光素子層」、「発光素子層の前記第１の面の側」、「第１の電極」、「発光素子層の第２の面の側」、「画素駆動素子」、及び「表示装置」にそれぞれ相当する。
　また、引用発明の「ＲＧＢ３色の１画素に対して共通の第２表示電極９」と、本願発明の「全ての発光素子層をカバーする平面形状からなる単一の第２の電極」とは、第２の電極という上位概念で一致する。
　したがって、両者は、
「第１の面とこの第１の面と反対側の第２の面とを有し、複数の領域に区画された発光素子層と、前記発光素子層の前記第１の面の側にそれぞれ配置された第１の電極と、前記発光素子層の前記第２の面の側に配置された第２の電極と、を備え、前記第１の電極と第２の電極との重畳部においてエレクトロルミネッセンス素子が形成され、更に、前記各エレクトロルミネッセンス素子に対応して配置され、関連するエレクトロルミネッセンス素子を駆動するための画素駆動素子を備えたことを特徴としたアクティブマトリックス方式の表示装置。」
の点で一致するが、以下の点で相違する。
[相違点]
　第２の電極が、本願発明は、全ての発光素子層をカバーする平面形状からなる単一の電極であるのに対して、引用発明は、ＲＧＢ３色の１画素に対して共通の電極である点。
　
５．当審の判断
　エレクトロルミネッセンス素子を用いた表示装置において、発光素子層の一方の面に全ての発光素子層をカバーする平面形状からなる単一の電極を設けることは、本願出願前において周知事項であるので（例えば、特開平４−３６７０１号公報（第３ページ左下欄第１５行〜同右下欄第１０行、第５図）、特開平４−９９０１号公報（第３ページ右上欄第１７行〜同左下欄第１５行、第４図）、特開平３−２８８８０１号公報（第５ページ右上欄第９行〜同左下欄第１行、第４図）等を参照されたし。）、相違点に係る発明特定事項は、引用発明の第２表示電極９（第２の電極）を上記周知の「全ての発光素子層をカバーする平面形状からなる単一の電極」に置き換えることにより容易に想到しえる事項である。
　なお、引用刊行物において、「【００２１】図１０に示すように、この成膜用マスク３０を千鳥格子状に配列した開口３１を有するものとして、これを図の矢印に示すように隔壁付き基板２上にて順次移動して、Ｒ媒体、Ｇ媒体及びＢ媒体の最低３回のマスク蒸着を行う。図１１（ａ）〜（ｄ）で、この隔壁付き基板を用いて有機ＥＬディスプレイパネルを作製する発光層形成工程及び第２表示電極形成工程を順を追って説明する。図ではＲＧＢ３色のみの１画素のみの説明であるが、実際は２次元に複数個の画素を同時に形成するのはもちろんである。」（段落【００２１】）との記載において、「２次元に複数個の画素を同時に形成すること」は、２次元的な範囲にわたる各画素に対して共通の電極を設けることを意味するので、係る記載は、上記周知事項を引用発明に適用する際の動機付けともいえる。
　そして、本願発明の効果は、引用刊行物の記載から当業者が予測しえる範囲内のものである。
　したがって、本願発明は、引用刊行物に記載された発明及び周知事項に基づいて、当業者が容易に発明することができたものである。
　
６．むすび
　以上のとおり、本願発明は、引用刊行物に記載された発明及び周知事項に基づいて、当業者が容易に発明することができたものであるので、特許法第２９条第２項の規定により特許を受けることができない。
　よって、結論のとおり審決する。